(57)【要約】【課題】  ２つの入力端間のアイソレーションおよび選択されない入力端と出力端間のアイソレーションを向上する。【解決手段】  第１の入力端４１と、第２の入力端４２と、第１の入力端４１との間又は第２の入力端４２との間で択一的に導通する出力端４３と、第１の入力端４１又は第２の入力端４２を終端するための終端手段６１、６２とを備え、第１の入力端４１と出力端４３との間を導通したときに第２の入力端４２を終端手段６２によって終端し、第２の入力端４２と出力端４３との間を導通したときに第１の入力端４１を終端手段６１によって終端した。【選択図】        図１
2006319435.tif 000002
【特許請求の範囲】
【請求項１】
第１の入力端と、第２の入力端と、前記第１の入力端との間又は前記第２の入力端との間で択一的に導通する出力端と、前記第１の入力端又は前記第２の入力端を終端するための終端手段とを備え、前記第１の入力端と前記出力端との間を導通したときに前記第２の入力端を前記終端手段によって終端し、前記第２の入力端と前記出力端との間を導通したときに前記第１の入力端を前記終端手段によって終端したことを特徴とするスイッチ回路。
【請求項２】
前記終端手段はダイオードと抵抗との直列回路からなり、前記直列回路を前記第１の入力端とグランドとの間及び前記第２の入力端とグランドとの間にそれぞれ接続し、前記２つの直列回路の前記ダイオードを択一的に導通させたことを特徴とする請求項１に記載のスイッチ回路。
【請求項３】
前記ダイオードが導通したときの前記直列回路のインピーダンスを、前記第１の入力端及び前記第２の入力端にそれぞれ接続される回路インピーダンスに等しくしたことを特徴とする請求項２に記載のスイッチ回路。
【請求項４】
前記終端手段は、第１の周波数又はそれよりも高い第２の周波数にトラップ点が切り替えられるトラップ回路からなり、前記トラップ回路を前記第１の入力端とグランドとの間及び前記第２の入力端とグランドとの間にそれぞれ接続し、前記第１の入力端と前記出力端との間を導通したときに前記第１の入力端に接続された前記トラップ回路によって前記第１の周波数をトラップすると共に、前記第２の入力端に接続された前記トラップ回路によって前記第２の周波数をトラップし、前記第２の入力端と前記出力端との間を導通したときに前記第２の入力端に接続された前記トラップ回路によって前記第１の周波数をトラップすると共に、前記第１の入力端に接続された前記トラップ回路によって前記第２の周波数をトラップしたことを特徴とする請求項１に記載のスイッチ回路。
【請求項５】
前記トラップ回路はダイオードと、前記ダイオードに直列接続された抵抗と、前記ダイオードに並列接続された第１の容量素子と、前記抵抗に並列接続された直列共振回路とからなり、前記２つのトラップ回路のダイオードを択一的に導通させたことを特徴とする請求項４に記載のスイッチ回路。
【請求項６】
前記第１の周波数を前記第１の入力端及び前記第２の入力端に入力される信号の周波数帯における最低周波数よりも低くし、前記第２の周波数を前記周波数帯の最高周波数近傍としたことを特徴とする請求項４又は５に記載のスイッチ回路。
【発明の詳細な説明】
【技術分野】
【０００１】
本発明は、衛星放送受信用屋外コンバー（ＢＳコンバータ）タ等に使用される単極双投型スイッチ回路に関する。
【背景技術】
【０００２】
従来の単極双投型スイッチ回路を使用したＢＳコンバータの構成を図４に従って説明する。第一の入力端子１に入力された１２ＧＨｚ帯の左旋回の衛星放送信号は第一の低雑音増幅器２、第一のバンドパスフィルタ３を介して第一の混合器４に入力される。第一の混合器４には局部発振器５から局部発振信号が供給される。第一の混合器４から出力されたほぼ１ＧＨｚの第一の中間周波信号は第一の中間周波前置増幅器６を介して第一の抵抗分配器３１に入力される。
【０００３】
一方、第二の入力端子７に入力された１２ＧＨｚ帯の右旋回の衛星放送信号は第二の低雑音増幅器８、第二のバンドパスフィルタ９を介して第二の混合器１０に入力される。第二の混合器１０にも局部発振信号が供給されている。第二の混合器１０から出力されたはほぼ１ＧＨｚの第二の中間周波信号は第二の中間周波前置増幅器１１を介して第二の抵抗分配器３２に入力される。
【０００４】
第一の抵抗分配器３１で分配された第一の中間周波信号の一方と第二の抵抗分配器３２で分配された第二の中間周波信号の一方は単極双投型の第一の切替スイッチ３３によって何れかが選択され、第一の中間周波出力増幅器１２を介して第一の出力端子１４に出力される。
同様に、第一の抵抗分配器３１で分配された第一の中間周波信号の他方と第二の抵抗分配器３２で分配された第二の中間周波信号の他方は単極双投型の第二の切替スイッチ３４によって何れかが選択され、第二の中間周波出力増幅器１３を介して第二の出力端子１５に出力される（例えば、特許文献１参照。）。
【０００５】
【特許文献１】特開２００４−２３５８０１号公報（図１）
【０００６】
第一の切替スイッチ３３及び第二の切替スイッチ３４は、それぞれ２個のピンダイオードの組み合わせによって構成され、一方のピンダイオードをオンとした場合は他方のピンダイオードがオフとされる。
【発明の開示】
【発明が解決しようとする課題】
【０００７】
上記の切替スイッチは２つの入力端の何れか一方が出力端に接続される構成を有しているので、一方の入力端が出力端に接続された場合には他方の入力端が開放されるので、解放端の前段に接続されている回路は出力オープンとなり、その回路の信号が出力端に飛びつきやすくなって、２つの入力端間のアイソレーションが低下するという問題が発生する。
【０００８】
本発明は、２つの入力端間のアイソレーションおよび選択されない入力端と出力端間のアイソレーションを向上することを目的とする。
【課題を解決するための手段】
【０００９】
第１の解決手段として、第１の入力端と、第２の入力端と、前記第１の入力端との間又は前記第２の入力端との間で択一的に導通する出力端と、前記第１の入力端又は前記第２の入力端を終端するための終端手段とを備え、前記第１の入力端と前記出力端との間を導通したときに前記第２の入力端を前記終端手段によって終端し、前記第２の入力端と前記出力端との間を導通したときに前記第１の入力端を前記終端手段によって終端した。
【００１０】
また、第２の解決手段として、前記終端手段はダイオードと抵抗との直列回路からなり、前記直列回路を前記第１の入力端とグランドとの間及び前記第２の入力端とグランドとの間にそれぞれ接続し、前記２つの直列回路の前記ダイオードを択一的に導通させた。
【００１１】
また、第３の解決手段として、前記ダイオードが導通したときの前記直列回路のインピーダンスを、前記第１の入力端及び前記第２の入力端にそれぞれ接続される回路インピーダンスに等しくした。
【００１２】
また、第４の解決手段として、前記終端手段は、第１の周波数又はそれよりも高い第２の周波数にトラップ点が切り替えられるトラップ回路からなり、前記トラップ回路を前記第１の入力端とグランドとの間及び前記第２の入力端とグランドとの間にそれぞれ接続し、前記第１の入力端と前記出力端との間を導通したときに前記第１の入力端に接続された前記トラップ回路によって前記第１の周波数をトラップすると共に、前記第２の入力端に接続された前記トラップ回路によって前記第２の周波数をトラップし、前記第２の入力端と前記出力端との間を導通したときに前記第２の入力端に接続された前記トラップ回路によって前記第１の周波数をトラップすると共に、前記第１の入力端に接続された前記トラップ回路によって前記第２の周波数をトラップした。
【００１３】
また、第５の解決手段として、前記トラップ回路はダイオードと、前記ダイオードに直列接続された抵抗と、前記ダイオードに並列接続された第１の容量素子と、前記抵抗に並列接続された直列共振回路とからなり、前記２つのトラップ回路のダイオードを択一的に導通させた。
【００１４】
また、第６の解決手段として、前記第１の周波数を前記第１の入力端及び前記第２の入力端に入力される信号の周波数帯における最低周波数よりも低くし、前記第２の周波数を前記周波数帯の最高周波数近傍とした。
【発明の効果】
【００１５】
第１の解決手段によれば、第１の入力端と、第２の入力端と、第１の入力端との間又は第２の入力端との間で択一的に導通する出力端と、第１の入力端又は第２の入力端を終端するための終端手段とを備え、第１の入力端と出力端との間を導通したときに第２の入力端を終端手段によって終端し、第２の入力端と出力端との間を導通したときに第１の入力端を終端手段によって終端したので、開放される側の入力端の信号は反射することなく、他方の入力端及び出力端への信号の飛び付きがなくなり、アイソレーションが向上する。
【００１６】
また、第２の解決手段によれば、終端手段はダイオードと抵抗との直列回路からなり、直列回路を前記第１の入力端とグランドとの間及び第２の入力端とグランドとの間にそれぞれ接続し、２つの直列回路のダイオードを択一的に導通させたので、開放される側の入力端を抵抗によって終端できる。
【００１７】
また、第３の解決手段によれば、ダイオードが導通したときの直列回路のインピーダンスを、第１の入力端及び第２の入力端にそれぞれ接続される回路インピーダンスに等しくしたので、開放される側の入力端に接続された前段回路のインピーダンスを整合した状態で終端できる。
【００１８】
また、第４の解決手段によれば、終端手段は、第１の周波数又はそれよりも高い第２の周波数にトラップ点が切り替えられるトラップ回路からなり、トラップ回路を第１の入力端とグランドとの間及び第２の入力端とグランドとの間にそれぞれ接続し、第１の入力端と出力端との間を導通したときに第１の入力端に接続されたトラップ回路によって第１の周波数をトラップすると共に、第２の入力端に接続されたトラップ回路によって第２の周波数をトラップし、第２の入力端と出力端との間を導通したときに第２の入力端に接続されたトラップ回路によって第１の周波数をトラップすると共に、第１の入力端に接続されたトラップ回路によって第２の周波数をトラップしたことで、開放される側の入力端の信号を減衰することができ、他の入力端および出力端への信号の飛び付きを少なくしてアイソレーションを一層向上できる。とくに、高域側のアイソレーション向上に効果が得られる。
【００１９】
また、第５の解決手段によれば、トラップ回路はダイオードと、ダイオードに直列接続された抵抗と、ダイオードに並列接続された第１の容量素子と、抵抗に並列接続された直列共振回路とからなり、２つのトラップ回路のダイオードを択一的に導通させたので、２カ所の周波数ポイントを切り替えてトラップすることができる。
【００２０】
また、第６の解決手段によれば、第１の周波数を第１の入力端及び第２の入力端に入力される信号の周波数帯における最低周波数よりも低くし、第２の周波数を周波数帯の最高周波数近傍としたので、入力される信号周波数帯の低域側周波数特性を補正できるとともに、信号が入力されない端子側の高域のアイソレーション特性を向上できる。
【発明を実施するための最良の形態】
【００２１】
図１を参照して本発明の第１実施形態を説明する。第１の入力端４１には第１のダイオード４４のカソードが接続され、そのアノードは、第１のチョークインダクタ４６を介して第１の制御端４８に接続されると共に、第１の直流カットコンデンサ５０を介して出力端４３に結合される。また、第２の入力端４２には第２のダイオード４５のカソードが接続され、そのアノードは、第２のチョークインダクタ４７を介して第２の制御端４９に接続されると共に、第２の直流カットコンデンサ５１を介して出力端４３に結合される。
【００２２】
また、第１のダイオード４４のカソードは第３の直流カットコンデンサ５２を介して第三のダイオード５３のアノードに結合され、そのカソードは第１の抵抗５４を介して接地される。第３のダイオード５３と第１の抵抗５４との直列回路は第１の終端手段６１を構成する。第３のダイオード５３のアノードは第３のチョークインダクタ５５を介して第２のダイオード４５のカソードに接続される。第２のダイオード４５のカソードは第４の直流カットコンデンサ５６を介して第４のダイオード５７のアノードに結合され、そのカソードは第２の抵抗５８を介して接地される。第４のダイオード５７と第２の抵抗５８との直列回路は第２の終端手段６２を構成する。第４のダイオード５７のアノードは第４のチョークインダクタ５９を介して第１のダイオード４４のカソードに接続される。
【００２３】
第１乃至第４のダイオード４４、４５、５３、５７はピンダイオードで構成され、第１乃至第４の直流カットコンデンサ５０、５１、５２、５６は高周波信号に対して低インピーダンスを呈する。また、第１の抵抗５４及び第２の抵抗５８の抵抗値はおよそ５０Ω程度である。
【００２４】
第１の入力端４１及び第２の入力端４２の前段には、例えば、それぞれ周波数変換用のミキサ（図示せず）が接続され、各ミキサによって中間周波数に変換された１ＧＨｚ〜２．５ＧＨｚの衛星放送信号（中間周波信号）が入力されるが、第１の入力端４１には右偏波の中間周波信号が入力され、第２の入力端４２には左偏波の中間周波信号が入力される。出力端子４３には中間周波増幅器（図示せず）が接続される。そして、第１の入力端４１に入力された右偏波の中間周波信号又は第２の入力端４２に入力された左偏波の中間周波信号の何れかが選択されて出力端子４３に出力される。
【００２５】
第１の入力端４１の中間周波信号を出力するときには第１の制御端４８に切替電圧を印加して（第２の制御端４９には印加しない。）第１のダイオード４４を導通させる。このとき第４のダイオード５７も導通するので、第２の入力端４２は第４のダイオード５７と第２の抵抗５８との直列回路によって終端される。従って、第２の入力端４２における中間周波信号は反射することが無く、第１の入力端４１及び出力端４３への信号の飛び付きがなくなり、アイソレーションが向上する。
【００２６】
同様に、第２の入力端４２の中間周波信号を出力するときには第２の制御端４９に切替電圧を印加して（第１の制御端４８には印加しない。）第２のダイオード４５を導通させる。このとき第３のダイオード５３も導通するので、第１の入力端４１は第３のダイオード５３と第１の抵抗５４との直列回路によって終端される。従って、第１の入力端４１における中間周波信号は反射することが無く、第２の入力端４２及び出力端４３への飛び付きがなくなり、アイソレーションが向上する。
【００２７】
次に、第２の実施形態を図２に従って説明する。図２においては、第１の終端手段６１と第２の終端手段６２との構成が図１と異なり、また、第３のチョークインダクタ５５は第３のダイオード５３のアノードと第１のダイオード４４のカソードとの間に接続され、第４のチョークインダクタ５９は第４のダイオード５７のアノードと第２のダイオード４５のカソードとの間に接続される。その他の構成は図１と同じである。
【００２８】
第１の終端手段６１においては、第３のダイオード５３に小容量の第１の容量素子６３が並列接続され、第１の抵抗５４に第１の直列共振回路６４が並列接続される。第１の容量素子６３の容量値はおよそ０．６ｐＦである。第１の直列共振回路６４は第２の容量素子６４ａと第１のインダクタンス素子６４ｂからなり第２の容量素子６４ａの容量値はおよそ８．０ｐＦ、第１のインダクタンス素子６４ｂのインダクタンスはおよそ４．３ｎＨである。
【００２９】
第２の終端手段６２は第１の終端手段６１と同一の構成を有している。すなわち、第４のダイオード５７に小容量の第３の容量素子６５が並列接続され、第２の抵抗５８に第２の直列共振回路６６が並列接続される。第２の容量素子６５の容量値はおよそ０．６ｐＦである。第２の直列共振回路６６は第４の容量素子６６ａと第２のインダクタンス素子６６ｂからなり第４の容量素子６６ａの容量値はおよそ８．０ｐＦ、第２のインダクタンス素子６６ｂのインダクタンスはおよそ４．３ｎＨである。
【００３０】
第１の終端手段６１を代表して特性を説明する。第３のダイオード５３が導通した状態では、第１の終端手段６１は第１の直列共振回路６４の共振特性を示し、その共振周波数はおよそ８６０ＭＨｚとなる。また、第３のダイオード５３が非導通の状態では第３のダイオード５３の端子間容量がおよそ０．４ｐＦであるので、共振周波数はおよそ２５７０ＭＨｚとなる。従って、第１の終端手段６１及び第２の終端手段６２は直列共振周波数が８６０ＭＨｚ又は２５７０ＭＨｚに切り替えられるトラップ回路として機能する。
【００３１】
そして、第１のダイオード４４を導通させた場合、第３のダイオード５３も導通するので、第１の終端手段６１は８６０ＭＨｚをトラップし、第１の入力端４１と出力端４３との間の伝送特性は図３のＡのようになる。しかし、第２のダイオード４５は導通せず、さらに、第４のダイオード５７も導通しないので第２の終端手段６２は２５７０ＭＨｚをトラップし、第２の入力端４２と出力端４３との間の伝送特性は図３のＢのようになる。ここで、もし、第２の終端手段６２が設けられていないと仮定すると、第２の入力端４２と出力端４３との間の伝送特性は図３のＣに示すように、周波数が高くなるに従って、伝送レベルが大きくなってアイソレーションが劣化するが、第２の終端手段６２が設けられることでアイソレーションが向上することが理解できる。
【００３２】
第２のダイオード４５を導通して第１のダイオード４４を非導通にした場合は、上記と全く逆の関係となり、同様にアイソレーションの向上が図れる。
【図面の簡単な説明】
【００３３】
【図１】本発明のスイッチ回路における第１の実施形態の構成を示す回路図である。
【図２】本発明のスイッチ回路における第２の実施形態の構成を示す回路図である。
【図３】本発明のスイッチ回路の伝送特性図である。
【図４】従来のスイッチ回路を用いたＢＳコンバータの回路図である。
【符号の説明】
【００３４】
４１：第１の入力端
４２：第２の入力端
４３：出力端
４４：第１のダイオード
４５：第２のダイオード
４６：第１のチョークインダクタ
４７：第２のチョークインダクタ
４８：第１の制御端
４９：第２の制御端
５０：第１の直流カットコンデンサ
５１：第２の直流カットコンデンサ
５２：第３の直流カットコンデンサ
５３：第３のダイオード
５４：第１の抵抗
５５：第３のチョークインダクタ
５６：第４の直流カットコンデンサ
５７：第４のダイオード
５８：第２の抵抗
５９：第４のチョークインダクタ
６１：第１の終端手段
６２：第２の終端手段
６３：第１の容量素子
６４：第１の直列共振回路
６４ａ：第２の容量素子
６４ｂ：第１のインダクタンス素子
６５：第３の容量素子
６６：第２の直列共振回路
６６ａ：第４の容量素子
６６ｂ：第２のインダクタンス素子
【図１】
2006319435.tif 000003
【図２】
2006319435.tif 000004
【図３】
2006319435.tif 000005
【図４】
2006319435.tif 000006